(57)【要約】【課題】ユーザの関心を引く可能性のあるコンテンツをディスプレイ装置に表示させる技術を提供する。【解決手段】コンテンツ同士の関連度を示すリンク情報に基づいて、表示コンテンツ群の一部または全部を制御する表示制御部３１５と、ユーザの操作に基づいて選択されたコンテンツに基づいて生成された更新要求を取得する要求取得部３１１と、更新要求に基づいてリンク情報を更新する情報更新部３１２と、を備える、表示制御装置３００が提供される。【選択図】図３
2015015005.tif 000002
【特許請求の範囲】
【請求項１】
コンテンツ同士の関連度を示すリンク情報に基づいて、表示コンテンツ群の一部または全部を制御する表示制御部と、
ユーザの操作に基づいて選択されたコンテンツに基づいて生成された更新要求を取得する要求取得部と、
前記更新要求に基づいて前記リンク情報を更新する情報更新部と、
を備える、表示制御装置。
【請求項２】
前記表示制御装置は、
表示コンテンツ群からコンテンツを選択するコンテンツ選択部を備え、
前記表示制御部は、前記コンテンツ選択部により選択されたコンテンツと前記リンク情報とに基づいて、表示コンテンツ群の一部または全部を制御する、
請求項１に記載の表示制御装置。
【請求項３】
前記表示制御部は、前記コンテンツ選択部により選択されたコンテンツと前記リンク情報とに基づいて、表示コンテンツ群の一部または全部を選択する、
請求項２に記載の表示制御装置。
【請求項４】
前記表示制御部は、前記コンテンツ選択部により選択されたコンテンツとの関連度がより高いコンテンツの選択を優先する、
請求項３に記載の表示制御装置。
【請求項５】
前記表示制御部は、前記コンテンツ選択部により選択されたコンテンツと前記リンク情報とに基づいて、前記表示コンテンツ群の一部または全部の表示位置を制御する、
請求項２に記載の表示制御装置。
【請求項６】
前記表示制御部は、前記コンテンツ選択部により選択されたコンテンツとの関連度が高いコンテンツの表示位置ほど前記コンテンツ選択部により選択されたコンテンツの表示位置からの距離を近くする、
請求項５に記載の表示制御装置。
【請求項７】
前記表示制御装置は、
前記コンテンツ選択部により選択されたコンテンツの識別情報を通知する情報通知部を備える、
請求項２に記載の表示制御装置。
【請求項８】
前記更新要求は、前記表示制御装置によって選択されたコンテンツまたは他の表示制御装置によって選択されたコンテンツに基づいて生成される、
請求項１に記載の表示制御装置。
【請求項９】
前記表示制御部は、付与されている同一タグの個数が多いコンテンツ同士ほど、関連度が高いと判断する、
請求項１に記載の表示制御装置。
【請求項１０】
ユーザの操作に基づいて選択されたコンテンツの識別情報を取得する情報取得部と、
前記コンテンツの識別情報に基づいてコンテンツ同士の関連度を示すリンク情報の更新要求を生成する更新要求生成部と、
前記更新要求を提供する更新要求提供部と、
を備える、コンテンツ制御装置。
【発明の詳細な説明】
【技術分野】
【０００１】
本発明は、表示制御装置およびコンテンツ制御装置に関するものである。
【背景技術】
【０００２】
近年、デジタルサイネージ用のディスプレイ装置をはじめとして、公共の場所、金融機関、空港ロビーなどに、複数のディスプレイ装置が配置されている。デジタルサイネージは、サイネージサーバからネットワークを介して配信された映像などの情報をディスプレイ装置に表示し、ディスプレイ装置に表示された情報をユーザに閲覧させる仕組みを言う。このデジタルサイネージは、紙媒体のポスターなどに比べて、効果的に宣伝広告が実現できるとして急速に普及している。
【０００３】
ディスプレイ装置とユーザの通信端末との連携技術としては様々な技術が開示されている（例えば、特許文献１参照）。例えば、特許文献１には、ディスプレイ装置に表示させるコンテンツをユーザの通信端末によって直接的に指定することが可能な技術について開示されている。かかる技術によれば、ユーザは、通信端末を操作することでディスプレイ装置に表示させるコンテンツを直接的に指定することが可能である。
【先行技術文献】
【特許文献】
【０００４】
【特許文献１】特開２０１０−１７６６４８号公報
【特許文献２】特開２０１２−１９４７８７号公報
【発明の概要】
【発明が解決しようとする課題】
【０００５】
しかしながら、特許文献１に開示された技術では、ディスプレイ装置に表示されるコンテンツはユーザの操作によって直接的に指定されたコンテンツに限定されてしまう可能性がある。そのため、特許文献１に開示された技術では、ユーザによって意図されたコンテンツをディスプレイ装置に表示させるに留まり、ユーザの関心を引く可能性のあるコンテンツをディスプレイ装置に表示させることは困難である。
【０００６】
そこで、本発明は、上記問題に鑑みてなされたものであり、本発明の目的とするところは、ユーザの関心を引く可能性のあるコンテンツをディスプレイ装置に表示させる技術を提供することにある。
【課題を解決するための手段】
【０００７】
上記問題を解決するために、本発明のある観点によれば、コンテンツ同士の関連度を示すリンク情報に基づいて、表示コンテンツ群の一部または全部を制御する表示制御部と、ユーザの操作に基づいて選択されたコンテンツに基づいて生成された更新要求を取得する要求取得部と、前記更新要求に基づいて前記リンク情報を更新する情報更新部と、を備える、表示制御装置が提供される。
【０００８】
前記表示制御装置は、表示コンテンツ群からコンテンツを選択するコンテンツ選択部を備え、前記表示制御部は、前記コンテンツ選択部により選択されたコンテンツと前記リンク情報とに基づいて、表示コンテンツ群の一部または全部を制御してもよい。
【０００９】
前記表示制御部は、前記コンテンツ選択部により選択されたコンテンツと前記リンク情報とに基づいて、表示コンテンツ群の一部または全部を選択してもよい。
【００１０】
前記表示制御部は、前記コンテンツ選択部により選択されたコンテンツとの関連度がより高いコンテンツの選択を優先してもよい。
【００１１】
前記表示制御部は、前記コンテンツ選択部により選択されたコンテンツと前記リンク情報とに基づいて、前記表示コンテンツ群の一部または全部の表示位置を制御してもよい。
【００１２】
前記表示制御部は、前記コンテンツ選択部により選択されたコンテンツとの関連度が高いコンテンツの表示位置ほど前記コンテンツ選択部により選択されたコンテンツの表示位置からの距離を近くしてもよい。
【００１３】
前記表示制御装置は、前記コンテンツ選択部により選択されたコンテンツの識別情報を通知する情報通知部を備えてもよい。
【００１４】
前記更新要求は、前記表示制御装置によって選択されたコンテンツまたは他の表示制御装置によって選択されたコンテンツに基づいて生成されてもよい。
【００１５】
前記表示制御部は、付与されている同一タグの個数が多いコンテンツ同士ほど、関連度が高いと判断してもよい。
【００１６】
また、本発明の他の観点によれば、ユーザの操作に基づいて選択されたコンテンツの識別情報を取得する情報取得部と、前記コンテンツの識別情報に基づいてコンテンツ同士の関連度を示すリンク情報の更新要求を生成する更新要求生成部と、前記更新要求を提供する更新要求提供部と、を備える、コンテンツ制御装置が提供される。
【発明の効果】
【００１７】
以上説明したように本発明によれば、ユーザの関心を引く可能性のあるコンテンツをディスプレイ装置に表示させることが可能である。
【図面の簡単な説明】
【００１８】
【図１】本発明の実施形態に係るコンテンツ制御システムの構成を示す図である。
【図２】本発明の実施形態に係る表示制御装置と通信端末との間の連携の例について説明するための図である。
【図３】本発明の実施形態に係る表示制御装置の機能構成例を示す図である。
【図４】本発明の実施形態に係るコンテンツ制御装置の機能構成例を示す図である。
【図５】コンテンツのメタ情報の構成例を示す図である。
【図６】コンテンツ選択前に表示装置によって表示される画面の例を示す図である。
【図７】コンテンツ選択後に表示装置によって表示される画面の例を示す図である。
【図８】選択回数テーブルおよび確率分布表の例を示す図である。
【図９】先のコンテンツを固定した場合において後のコンテンツの選択に関する確率分布をグラフに示した図である。
【図１０】本発明の実施形態に係る表示制御装置の動作の流れの例を示す図である。
【図１１】本発明の実施形態に係るコンテンツ制御装置の動作の流れの例を示す図である。
【発明を実施するための形態】
【００１９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２０】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２１】
［構成の説明］
まず、本発明の実施形態に係るコンテンツ制御システム１０の構成について説明する。図１は、本発明の実施形態に係るコンテンツ制御システム１０の構成を示す図である。図１に示すように、コンテンツ制御システム１０は、表示装置１００−１〜１００−ｎを備える。本実施形態においては、所定の空間内にｎ台の表示装置１００が設置されている場合を想定する。ここで、例えば、ｎは自然数（すなわち、１以上の整数）であればよい。所定の空間は特に限定されないが、例えば、公共の場所、金融機関、空港ロビーなどであってもよい。以下では、表示装置１００−１〜１００−ｎにおける任意の表示装置を「表示装置１００」と記載することもある。
【００２２】
その他、コンテンツ制御システム１０は、通信制御装置２００−１〜２００−ｎと、表示制御装置３００−１〜３００−ｎと、ネットワーク４００と、コンテンツ制御装置５００とを備える。以下では、表示装置１００と同様に、通信制御装置２００−１〜２００−ｎにおける任意の通信制御装置を「通信制御装置２００」と記載し、表示制御装置３００−１〜２００−ｎにおける任意の表示制御装置を「表示制御装置３００」と記載することもある。
【００２３】
図１に示すように、表示制御装置３００は、表示装置１００および通信制御装置２００と接続されており、通信制御装置２００およびコンテンツ制御装置５００は、ネットワーク４００に接続されている。ネットワーク４００は、例えば、インターネットにより構成される。
【００２４】
表示装置１００は、表示制御装置３００による制御に従って、コンテンツを表示する機能を有する。ここで、表示装置１００の種類は特に限定されないが、例えば、ＬＣＤ（Ｌｉｑｕｉｄ  Ｃｒｙｓｔａｌ  Ｄｉｓｐｌａｙ）であってもよいし、プラズマディスプレイであってもよい。表示装置１００により表示されるコンテンツの種類は特に限定されないが、例えば、画像データ（例えば、静止画データ、動画データなど）であってもよいし、テキストデータであってもよい。
【００２５】
通信制御装置２００は、コンテンツ制御装置５００と表示制御装置３００との間における通信を中継する機能を有する。ここで、通信制御装置２００は、例えば、無線ＬＡＮ（Ｌｏｃａｌ  Ａｒｅａ  Ｎｅｔｗｏｒｋ）のアクセスポイントにより構成されてもよい。かかる場合、通信制御装置２００は、ユーザが所持する通信端末６００と無線通信を行うことが可能であり、コンテンツ制御装置５００と通信端末６００との間における通信を中継することが可能である。
【００２６】
表示制御装置３００は、接続相手の表示装置１００によってコンテンツが表示されるように表示装置１００を制御する機能を有する。より詳細には、コンテンツを再生して得られた再生信号を表示装置１００に出力する。ここで、表示制御装置３００は、例えば、ＰＣ（Ｐｅｒｓｏｎａｌ  Ｃｏｍｐｕｔｅｒ）により構成されてもよく、例えば、サイネージ用のＰＣにより構成されてもよい。
【００２７】
コンテンツ制御装置５００は、表示装置１００により表示されるコンテンツを制御する機能を有する。より詳細には、コンテンツ制御装置５００は、コンテンツ同士の関連度を示すリンク情報を制御する機能を有する。本実施形態においては、表示装置１００により表示されるコンテンツがあらかじめ表示制御装置３００によって記憶されている例を示すが、表示装置１００によって表示されるコンテンツは、コンテンツ制御装置５００から表示制御装置３００に対して提供されてもよいし、コンテンツ制御装置５００とは異なる装置から表示制御装置３００に対して提供されてもよい。コンテンツ制御装置５００は、例えば、ＰＣにより構成されてもよい。
【００２８】
以上、本発明の実施形態に係るコンテンツ制御システム１０の構成について説明した。
【００２９】
続いて、本発明の実施形態に係る表示制御装置３００と通信端末６００との間の連携の例について説明する。図２は、本発明の実施形態に係る表示制御装置３００と通信端末６００との間の連携の例について説明するための図である。図２に示すように、表示装置１００は、表示部１１０を有しており、通信端末６００は、表示部６５０を有している。また、上記したように、表示部１１０は、コンテンツを表示することが可能である。また、表示部１１０は、コンテンツを選択するためのカーソルを表示することも可能である。
【００３０】
例えば、ユーザから通信端末６００にカーソル移動操作が入力された場合には、通信端末６００から表示制御装置３００にカーソル移動操作が通知され、カーソル移動操作に基づいて表示制御装置３００によってカーソルが移動される。また、ユーザから通信端末６００にコンテンツ選択操作が入力された場合には、通信端末６００から表示制御装置３００に選択操作が通知され、選択操作に基づいて表示制御装置３００によってカーソル位置のコンテンツが選択される。
【００３１】
例えば、通信端末６００にタッチパネルが備えられている場合には、カーソル移動操作は、タッチパネルに対するドラッグ操作によって実現され得る。また、通信端末６００にタッチパネルが備えられている場合には、選択操作は、タッチパネルに対するタップ操作によって実現され得る。しかし、カーソル移動操作および選択操作それぞれの実現手法は、かかる例に限定されない。
【００３２】
以上、本発明の実施形態に係る表示制御装置３００と通信端末６００との間の連携の例について説明した。
【００３３】
続いて、本発明の実施形態に係る表示制御装置３００の機能構成例について説明する。図３は、本発明の実施形態に係る表示制御装置３００の機能構成例を示す図である。図３に示すように、本発明の実施形態に係る表示制御装置３００は、制御部３１０、記憶部３２０および通信部３３０を備える。
【００３４】
制御部３１０は、表示制御装置３００の動作全体を制御する機能を有する。記憶部３２０は、制御部３１０を動作させるためのプログラムやデータ（例えば、メタ情報３２２など）を記憶することができる。また、記憶部３２０は、制御部３１０の動作の過程で必要となる各種データを一時的に記憶することもできる。通信部３３０は、制御部３１０による制御に従って他の装置と通信を行う機能を有する。例えば、通信部３３０は、通信制御装置２００を介してコンテンツ制御装置５００と通信を行う機能を有する。
【００３５】
なお、図３に示した例では、記憶部３２０および通信部３３０は、表示制御装置３００の内部に存在するが、記憶部３２０および通信部３３０は、表示制御装置３００の外部に備えられていてもよい。また、制御部３１０は、要求取得部３１１と、情報更新部３１２と、コンテンツ選択部３１３と、情報通知部３１４とを備える。制御部３１０が備えるこれらの各機能部の詳細については、後に説明する。
【００３６】
以上、本発明の実施形態に係る表示制御装置３００の機能構成例について説明した。
【００３７】
続いて、本発明の実施形態に係るコンテンツ制御装置５００の機能構成例について説明する。図４は、本発明の実施形態に係るコンテンツ制御装置５００の機能構成例を示す図である。図４に示すように、本発明の実施形態に係るコンテンツ制御装置５００は、制御部５１０、記憶部５２０および通信部５３０を備える。
【００３８】
制御部５１０は、コンテンツ制御装置５００の動作全体を制御する機能を有する。記憶部５２０は、制御部５１０を動作させるためのプログラムやデータ（例えば、選択回数テーブル５２１）を記憶することができる。選択回数テーブル５２１については、後に詳細に説明する。また、記憶部５２０は、制御部５１０の動作の過程で必要となる各種データを一時的に記憶することもできる。通信部５３０は、制御部５１０による制御に従って他の装置と通信を行う機能を有する。例えば、通信部５３０は、ネットワーク４００に接続された他の装置と通信を行う機能を有する。
【００３９】
なお、図４に示した例では、記憶部５２０および通信部５３０は、コンテンツ制御装置５００の内部に存在するが、記憶部５２０および通信部５３０は、コンテンツ制御装置５００の外部に備えられていてもよい。また、制御部５１０は、情報取得部５１１と、更新要求生成部５１２と、更新要求提供部５１３とを備える。制御部５１０が備えるこれらの各機能部の詳細については、後に説明する。
【００４０】
以上、本発明の実施形態に係るコンテンツ制御装置５００の機能構成例について説明した。
【００４１】
続いて、コンテンツのメタ情報３２２の構成例について説明する。図４は、メタ情報３２２の構成例を示す図である。図４に示すように、メタ情報３２２は、コンテンツＩＤ、コンテンツ形式およびタグを含んでいる。例えば、メタ情報３２２は、コンテンツが登録されるときに追加され、コンテンツが削除されるときに削除されてよい。また、タグは、後に説明するように動的に変更されてよい。
【００４２】
以上、メタ情報３２２の構成例について説明した。
【００４３】
続いて、表示制御装置３００およびコンテンツ制御装置５００が有する機能の詳細について説明する。以下においては説明の簡便さのため、コンテンツに付した符号をコンテンツＩＤとしても利用する。まず、表示制御部３１５がコンテンツ群を表示装置１００に表示させる場合を想定する。以下、表示装置１００に表示させるコンテンツ群を表示コンテンツ群とも言う。図６は、コンテンツ選択前に表示装置１００によって表示される画面Ｄ１の例を示す図である。
【００４４】
図６に示すように、表示制御部３１５は、画面Ｄ１を表示装置１００に表示させる。画面Ｄ１には、コンテンツＣ１〜Ｃ３が含まれている。また、図６に示すように、表示制御部３１５は、コンテンツの名称Ｃ１−１〜Ｃ３−１、コンテンツ関連画像Ｃ１−２〜Ｃ３−２、コンテンツ関連情報Ｃ１−３〜Ｃ３−３、Ｃ１−４〜Ｃ３−４などを表示装置１００に表示させてもよい。画面Ｄ１は、通信端末６００を持ったユーザによって閲覧されている。
【００４５】
ユーザがカーソル移動操作によりカーソルＣｕをコンテンツＣ１に合わせ、コンテンツＣ１に対する選択操作を行うと、コンテンツ選択部３１３は、カーソル位置のコンテンツＣ１を選択する。ここで、表示コンテンツ群はランダムに決定されてもよいが、コンテンツ同士の関連度が考慮された上で決定されればよりユーザの関心を引くコンテンツの抽出が実現できる可能性がある。そこで、表示制御部３１５は、コンテンツ同士の関連度を示すリンク情報に基づいて、表示コンテンツ群を制御するとよい。
【００４６】
例えば、表示制御部３１５は、コンテンツ選択部３１３により選択されたコンテンツＣ１とリンク情報とに基づいて、表示コンテンツ群の一部または全部を制御すればよい。リンク情報は特に限定されないが、本明細書においては、リンク情報としてコンテンツに付されるタグを利用する場合を例として主に説明する。表示コンテンツ群の一部または全部をどのように制御するかは特に限定されない。例えば、表示制御部３１５は、コンテンツ選択部３１３により選択されたコンテンツとタグとに基づいて、表示コンテンツ群の一部または全部を選択してもよい。
【００４７】
図５を参照すると、コンテンツ選択部３１３により選択されたコンテンツＣ１に付されているタグとコンテンツＣ５に付されているタグとの間では、「天気」というタグが共通している。そこで、表示制御部３１５は、コンテンツ選択部３１３により選択されたコンテンツＣ１と関連性を有するコンテンツＣ５を表示コンテンツ群の一部として選択してよい。
【００４８】
また、コンテンツ選択部３１３により選択されたコンテンツＣ１に付されているタグとコンテンツＣ４に付されているタグとの間では、「タグＴ３」というタグが共通している。そこで、表示制御部３１５は、コンテンツ選択部３１３により選択されたコンテンツＣ１と関連性を有するコンテンツＣ４を表示コンテンツ群の一部として選択してよい。
【００４９】
図７は、コンテンツ選択後に表示装置１００によって表示される画面Ｄ２の例を示す図である。図７を参照すると、表示制御部３１５は、コンテンツ選択部３１３によって表示コンテンツ群の一部として選択されたコンテンツＣ４、Ｃ５を表示装置１００に表示させている。なお、図７には、コンテンツ選択部３１３により選択されたコンテンツＣ１と関連性を有するコンテンツＣ４、Ｃ５を表示コンテンツ群の一部として選択する例が示されているが、表示コンテンツ群の一部または全部の選択手法は特に限定されない。
【００５０】
例えば、表示制御部３１５は、コンテンツ選択部３１３により選択されたコンテンツとの関連度がより高いコンテンツの選択を優先してもよい。コンテンツ同士の関連度の高さの判断手法についても特に限定されない。例えば、表示制御部３１５は、付与されている同一タグの個数が多いコンテンツ同士ほど、関連度が高いと判断してもよい。あるいは、タグごとに関連度の高さが設定されており、より高い関連度が設定されている同一のタグが付されたコンテンツ同士ほど、関連度が高いと判断してもよい。
【００５１】
このように、表示コンテンツ群の一部または全部を制御する手法としては、表示コンテンツ群の一部または全部を選択する手法が採用され得るが、表示コンテンツ群の一部または全部の表示位置を制御する手法が採用されてもよい。すなわち、表示制御部３１５は、コンテンツ選択部３１３により選択されたコンテンツとリンク情報とに基づいて、表示コンテンツ群の一部または全部の表示位置を制御してもよい。
【００５２】
かかる場合、表示制御部３１５は、コンテンツ選択部３１３により選択されたコンテンツとの関連度が高いコンテンツの表示位置ほどコンテンツ選択部３１３により選択されたコンテンツの表示位置からの距離を近くしてもよい。コンテンツ選択部３１３により選択されたコンテンツの識別情報は情報通知部３１４によってコンテンツ制御装置５００に通知される。
【００５３】
情報通知部３１４によって通知されるコンテンツの識別情報は、１つずつがコンテンツ制御装置５００に通知されてもよいが、複数が組み合された上でコンテンツ制御装置５００に通知されるとよい。上記した例では、表示制御部３１５は、コンテンツ選択部３１３によるコンテンツＣ１の選択に依存せずにコンテンツＣ２、Ｃ３を表示させるとともに、コンテンツ選択部３１３により選択されたコンテンツＣ１と関連性を有するコンテンツＣ４、Ｃ５を表示させている。
【００５４】
そこで、コンテンツ選択部３１３によって選択されたコンテンツＣ１に引き続いて、コンテンツＣ１と関連性を有するコンテンツＣ４、Ｃ５が順にユーザの操作に従って選択されている限りは、情報通知部３１４は、以前に選択されたコンテンツとのすべての組み合わせである、（Ｃ１、Ｃ４）、（Ｃ１、Ｃ５）、（Ｃ４、Ｃ５）をコンテンツ制御装置５００に通知してもよい。かかる組み合わせがコンテンツ制御装置５００に通知されることにより、既に関連性を有するコンテンツ同士の関連度がより強化されることが期待される。
【００５５】
一方、コンテンツＣ５に引き続いて、コンテンツＣ１と関連性を有さないコンテンツＣ２が選択された場合には、情報通知部３１４は、直前に選択されたコンテンツとの組み合わせである、（Ｃ５、Ｃ２）を通知してもよい。かかる組み合わせがコンテンツ制御装置５００に通知されることにより、関連性を有していなかったコンテンツ同士に新たな関連性を生じさせることが期待される。
【００５６】
表示制御装置３００から通知されたコンテンツ制御装置５００に通知されたコンテンツの識別情報は、情報取得部５１１によって取得される。続いて、更新要求生成部５１２は、情報取得部５１１によって取得されたコンテンツの識別情報に基づいてタグの更新要求を生成する。
【００５７】
ここで、更新要求の生成頻度は特に限定されない。例えば、更新要求の生成頻度は、コンテンツ制御システム１０の規模に応じて設定されてよい。コンテンツ制御システム１０の規模はどのように把握されてもよいが、コンテンツ制御システム１０に備えられている表示装置１００の数によって把握されてよい。また、更新要求の生成頻度は、ユーザの利用度合いに応じて設定されてもよい。ユーザの利用度合いはどのように把握されてもよいが、通信制御装置２００に通信端末６００が接続された時間によって把握されてもよい。
【００５８】
なお、更新要求は、表示制御装置３００−１〜３００−ｎのいずれによって選択されたコンテンツに基づいて生成されてもよい。また、コンテンツ制御装置５００によって生成された更新要求は、表示制御装置３００−１〜３００−ｎのいずれに提供されてもよい。すなわち、コンテンツを選択した表示制御装置３００と更新要求が提供される表示制御装置３００とは、同一であってもよいし、異なってもよい。タグの更新要求の生成手法は特に限定されないが、ここでは一例を説明する。図８は、選択回数テーブル５２１および確率分布表の例を示す図である。
【００５９】
いま、表示制御装置３００からコンテンツ制御装置５００に対して、先に選択されたコンテンツ（以下、「先のコンテンツ」とも言う。）の識別情報と後に選択されたコンテンツ（以下、「後のコンテンツ」とも言う。）の識別情報との組み合わせ（ｋ，ｊ）が通知されたとする。更新要求生成部５１２は、選択回数テーブル５２１におけるこの組み合わせ（ｋ，ｊ）の選択回数ｎ（ｋ，ｊ）を加算する。
【００６０】
続いて、更新要求生成部５１２は、先のコンテンツとしてコンテンツｋが選択された場合における確率分布Ｐ（ｋ，ｊ）（ただし、ｊ＝１〜Ｎ）を計算する。図９は、先のコンテンツを固定した場合において後のコンテンツの選択に関する確率分布をグラフに示した図である。更新要求生成部５１２は、確率分布Ｐ（ｋ，ｊ）を参照して、関連度を更新するコンテンツの組み合わせを決定する。関連度を更新するコンテンツの組み合わせの決定手法は特に限定されない。
【００６１】
例えば、更新要求生成部５１２は、Ｐ（ｋ，ｊ）（ただし、ｊ＝１〜Ｎ）の中から、確率が最も高い組み合わせを決定してもよいし、確率が上限値を上回る組み合わせを決定してもよい。あるいは、更新要求生成部５１２は、Ｐ（ｋ，ｊ）（ただし、ｊ＝１〜Ｎ）の中から、確率が最も低い組み合わせを決定してもよいし、確率が下限値を下回る組み合わせを決定してもよい。
【００６２】
更新要求生成部５１２は、決定したコンテンツ同士の関連度を強める旨を示す更新要求を生成する。例えば、更新要求生成部５１２は、決定したコンテンツ同士に同一の新たなタグを追加してもよい。また、更新要求生成部５１２は、決定したコンテンツ同士に既に追加されている同一のタグに設定されている関連度を強めてもよい。
【００６３】
あるいは、更新要求生成部５１２は、決定したコンテンツ同士の関連度を弱める旨を示す更新要求を生成してもよい。例えば、更新要求生成部５１２は、決定したコンテンツ同士から同一のタグを削除してもよい。また、更新要求生成部５１２は、決定したコンテンツ同士に既に追加されている同一のタグに設定されている関連度を弱めてもよい。
【００６４】
更新要求提供部５１３は、更新要求生成部５１２によって生成された更新要求を表示制御装置３００に提供する。続いて、要求取得部３１１は、コンテンツ制御装置５００によって生成された更新要求をコンテンツ制御装置５００から取得する。情報更新部３１２は、更新要求に基づいてタグを更新する。
【００６５】
なお、更新要求生成部５１２は、更新履歴を蓄積し、蓄積した更新履歴に基づいて更新状況の周期的な変化を予測し、予測結果に基づいて更新要求を生成してもよい。予測結果に基づいて生成された更新要求が更新要求提供部５１３によって表示制御装置３００に提供されれば、表示制御装置３００におけるタグの更新を事前に行うことが可能となる。
【００６６】
［動作の説明］
続いて、本発明の実施形態に係る表示制御装置３００の動作の流れの例について説明する。図１０は、本発明の実施形態に係る表示制御装置３００の動作の流れの例を示す図である。なお、図１０に示した動作の流れの例は、表示制御装置３００の動作の流れの例に過ぎないため、表示制御装置３００の動作は、図１０に示した例に限定されないことは言うまでもない。
【００６７】
図１０に示したように、表示制御装置３００の要求取得部３１１は、要求を取得する（ステップＳ１０）。情報更新部３１２は、要求取得部３１１によって取得された要求が更新要求の場合には、タグを更新し（ステップＳ２１）、コンテンツ選択部３１３によって選択されたコンテンツのタグが変化した場合には（ステップＳ２２において「Ｙｅｓ」）、ステップＳ１３に動作を移行させるが、コンテンツ選択部３１３によって選択されたコンテンツのタグが変化していない場合には（ステップＳ２２において「Ｎｏ」）、ステップＳ１６に動作を移行させる。
【００６８】
表示制御部３１５は、要求取得部３１１によって取得された要求が操作の場合には、画面を更新し（ステップＳ１１）、コンテンツ選択部３１３によってコンテンツが選択されていない場合には（ステップＳ１２において「Ｎｏ」）、ステップＳ１６に動作を移行させる。一方、表示制御部３１５は、コンテンツ選択部３１３によってコンテンツが選択された場合には（ステップＳ１２において「Ｙｅｓ」）、選択されたコンテンツのタグに基づいて表示制御を行う（ステップＳ１３）。
【００６９】
情報通知部３１４は、所定の条件が満たされた場合には（ステップＳ１４において「Ｙｅｓ」）、選択されたコンテンツの識別情報をコンテンツ制御装置５００に通知するが（ステップＳ１５）、所定の条件が満たされていない場合には（ステップＳ１４において「Ｎｏ」）、ステップＳ１６に動作を移行させる。所定の条件は特に限定されないが、新たに選択されたコンテンツの数が所定数（例えば、２つ）以上になったという条件であってもよいし、表示装置１００を閲覧するユーザが変化したという条件（例えば、通信制御装置２００に接続される通信端末６００が変化したという条件）であってもよい。
【００７０】
制御部３１０は、動作を終了させない場合には（ステップＳ１６において「Ｎｏ」）、ステップＳ１０に動作を移行させるが、動作を終了させる場合には（ステップＳ１６で「Ｙｅｓ」）、動作を終了する。
【００７１】
以上、本発明の実施形態に係る表示制御装置３００の動作の流れの例について説明した。
【００７２】
続いて、本発明の実施形態に係るコンテンツ制御装置５００の動作の流れの例について説明する。図１１は、本発明の実施形態に係るコンテンツ制御装置５００の動作の流れの例を示す図である。なお、図１１に示した動作の流れの例は、コンテンツ制御装置５００の動作の流れの例に過ぎないため、コンテンツ制御装置５００の動作は、図１１に示した例に限定されないことは言うまでもない。
【００７３】
図１１に示したように、コンテンツ制御装置５００の情報取得部５１１は、表示制御装置３００からコンテンツの識別情報を取得する（ステップＳ３１）。更新要求生成部５１２は、取得されたコンテンツの識別情報により選択回数テーブル５２１を更新し（ステップＳ３２）、選択回数テーブル５２１に基づいて確率分布を算出する（ステップＳ３３）。更新要求生成部５１２は、確率分布に基づいて更新要求を生成し（ステップＳ３４）、更新要求を表示制御装置３００に提供する（ステップＳ３５）。
【００７４】
制御部５１０は、動作を終了させない場合には（ステップＳ３６において「Ｎｏ」）、ステップＳ３１に動作を移行させるが、動作を終了させる場合には（ステップＳ３６で「Ｙｅｓ」）、動作を終了する。
【００７５】
以上、本発明の実施形態に係るコンテンツ制御装置５００の動作の流れの例について説明した。
【００７６】
［効果の説明］
以上に説明したように、本発明の実施形態によれば、コンテンツ同士の関連度を示すリンク情報に基づいて、表示コンテンツ群の一部または全部を制御する表示制御部と、ユーザの操作に基づいて選択されたコンテンツに基づいて生成された更新要求を取得する要求取得部と、前記更新要求に基づいて前記リンク情報を更新する情報更新部と、を備える、表示制御装置が提供される。かかる構成により、ユーザの関心を引く可能性のあるコンテンツをディスプレイ装置に表示させることが可能となる。
【００７７】
［変形例の説明］
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７８】
例えば、上記した例では、更新要求生成部５１２によってコンテンツごとに確率分布表が生成されることとしたが、ユーザごとに確率分布表が生成されてもよい。かかる場合には、表示制御装置３００によって通信端末６００から取得されたユーザＩＤが、表示制御装置３００からコンテンツ制御装置５００に通知され、コンテンツ制御装置５００は、通知されたユーザＩＤごとに確率分布表を生成してよい。
【００７９】
また、更新要求生成部５１２は、確率分布表に従って更新要求を生成する手法は、更新要求の生成の一例に過ぎない。したがって、更新要求の生成の手法としては、他の手法が採用されてもよい。例えば、ユーザごとの嗜好または属性が取得できる状況においては、更新要求生成部５１２は、嗜好または属性が類似するユーザのコンテンツ選択履歴に対する協調フィルタリングの結果に基づいて更新要求を生成してもよい。
【００８０】
あるいは、更新要求生成部５１２は、ソーシャルグラフに基づいて更新要求を生成してもよい。例えば、特定のユーザが推薦しているコンテンツや特定のユーザが閲覧したコンテンツを含むコンテンツ同士の関連度を優先的に高めるように更新要求を生成してもよい。また、これらの各手法は、単独で用いられてもよいし、いずれかが組み合わされて用いられてもよい。
【００８１】
また、ユーザの属性によってユーザの関心を引くコンテンツは異なる可能性も想定される。そこで、ユーザの属性ごとに更新要求が生成されてもよい。かかる場合には、表示制御装置３００によって取得されたユーザの属性が、表示制御装置３００からコンテンツ制御装置５００に通知され、コンテンツ制御装置５００は、通知されたユーザの属性ごとに更新要求を生成してよい。
【００８２】
また、上記した例では、情報更新部３１２によるタグの更新に期間は設けていないが、情報更新部３１２によるタグの更新は、時限的になされてもよい。すなわち、情報更新部３１２は、タグを一時的に更新し、所定の期間が経過した場合に、タグを更新前に戻してもよい。このようにすれば、更新されたタグに基づいて表示されたコンテンツを、ユーザに対してより強調することが可能になることが期待される。
【００８３】
また、上記した例では、コンテンツ制御装置５００が他の装置からは独立した装置として存在したが、コンテンツ制御装置５００は、他の装置に組み込まれていてもよい。例えば、コンテンツ制御装置５００は、表示制御装置３００のいずれかに組み込まれていてもよい。また、ユーザが所持する通信端末６００の種類は特に限定されない。例えば、通信端末６００は、携帯電話であってもよいし、スマートフォンであってもよいし、タブレット端末であってもよい。
【００８４】
また、ユーザを認識する機能を有するユーザ認識装置が存在してもよい。ユーザ認識装置は、表示制御装置３００に組み込まれてもよいし、表示装置１００に組み込まれていてもよいし、他の装置からは独立して存在してもよい。ユーザ認識装置は、例えば、ユーザの顔を撮影し、撮影結果に基づいてユーザがコンテンツを閲覧していた時間を特定することが可能であってもよい。そうすれば、ユーザがコンテンツを閲覧していた時間をより高精度に把握することが可能となる。
【００８５】
例えば、コンテンツ制御装置５００の更新要求生成部５１２は、ユーザがコンテンツを閲覧していた時間の長さに応じて、更新対象のタグを変化させることも可能である。また、ユーザ認識装置が、コンテンツにおいてユーザが閲覧していた領域を特定することが可能であれば、更新要求生成部５１２は、例えば、その領域を加味して更新対象のタグを変化させることも可能である。また、更新要求生成部５１２がユーザの属性ごとに更新対象のタグを決定すれば、ユーザの関心を引きやすいコンテンツが提供され得る。
【００８６】
制御部３１０を構成する各ブロックは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などから構成され、記憶部３２０により記憶されているプログラムがＣＰＵによりＲＡＭに展開されて実行されることにより、その機能が実現され得る。あるいは、制御部３１０を構成する各ブロックは、専用のハードウェアにより構成されていてもよいし、複数のハードウェアの組み合わせにより構成されてもよい。
【００８７】
制御部５１０を構成する各ブロックは、例えば、ＣＰＵ、ＲＡＭなどから構成され、記憶部５２０により記憶されているプログラムがＣＰＵによりＲＡＭに展開されて実行されることにより、その機能が実現され得る。あるいは、制御部５１０を構成する各ブロックは、専用のハードウェアにより構成されていてもよいし、複数のハードウェアの組み合わせにより構成されてもよい。
【００８８】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【００８９】
１０    コンテンツ制御システム
１００  表示装置
１１０  表示部
２００  通信制御装置
３００  表示制御装置
３１０  制御部
３１１  要求取得部
３１２  情報更新部
３１３  コンテンツ選択部
３１４  情報通知部
３１５  表示制御部
３２０  記憶部
３２２  メタ情報
３３０  通信部
４００  ネットワーク
５００  コンテンツ制御装置
５１０  制御部
５１１  情報取得部
５１２  更新要求生成部
５１３  更新要求提供部
５２０  記憶部
５２１  選択回数テーブル
５３０  通信部
６００  通信端末
６５０  表示部
【図１】
2015015005.tif 000003
【図２】
2015015005.tif 000004
【図３】
2015015005.tif 000005
【図４】
2015015005.tif 000006
【図５】
2015015005.tif 000007
【図６】
2015015005.tif 000008
【図７】
2015015005.tif 000009
【図８】
2015015005.tif 000010
【図９】
2015015005.tif 000011
【図１０】
2015015005.tif 000012
【図１１】
2015015005.tif 000013